(57)【要約】  カム用凸部（４４）がアーム６のカム溝（６１）内を摺動することで、シャッタ（２）が閉位置および開位置の２つの位置にあるときにアーム（６）がアーム（５）に近づき、シャッタ（２）が当該２つの位置間をスライドしているときにアーム（６）がアーム（５）から遠ざかるため、ばね（７）が大きく変位し、シャッタ（２）の操作感が生じる。
2017064764.tif 000002
【特許請求の範囲】
【請求項１】
メディアを挿入する挿入口が設けられたパネルと、
一対のベース溝、回転軸凸部、ガイド凸部およびカム用凸部が設けられ、前記パネルの背面に固定されたベースと、
前記一対のベース溝に係合する一対のシャフトが設けられ、当該一対のシャフトが前記一対のベース溝内を摺動することで、前記パネルの正面において前記挿入口を塞ぐ閉位置および前記挿入口を開放する開位置にスライドするシャッタと、
各々の一端部が前記一対のシャフトに係合し、各々の他端部同士が近づいたり遠ざかったりする遠近方向に移動可能に係合した一対のアームと、
前記一対のアームを互いに引っ張り寄せるばねとを備え、
前記一対のアームのうちの一方のアームは、前記ベースの回転軸凸部に回転可能に係合する回転軸穴が設けられ、前記シャッタのスライドに応じて前記回転軸凸部を中心にして回転するアームであり、
前記一対のアームのうちの他方のアームは、前記ベースのガイド凸部に回転可能かつ摺動可能に係合する長穴状の係合穴、および前記ベースのカム用凸部に摺動可能に係合する曲線状のカム溝が設けられ、前記シャッタのスライドに応じて、前記ガイド凸部を中心にして回転しながら前記遠近方向へ移動すると共に、前記カム用凸部が前記カム溝内を摺動することで前記シャッタが閉位置および開位置の２つの位置にあるときに前記一方のアームに近づき当該２つの位置間をスライドしているときに前記一方のアームから遠ざかるアームであることを特徴とするメディア再生装置。
【請求項２】
前記カム溝が設けられた前記他方のアームは、樹脂で構成され、
前記カム用凸部が設けられた前記ベースは、金属で構成されていることを特徴とする請求項１記載のメディア再生装置。
【請求項３】
前記一方のアームは、前記シャッタから遠い面、かつ、前記回転軸穴よりも前記一方のアームに係合する一方の前記シャフトに近い位置に、前記ばねの一端部を固定するばねフックが設けられ、
前記他方のアームは、前記シャッタから遠い面、かつ、前記係合穴よりも前記他方のアームに係合する他方の前記シャフトに近い位置に、前記ばねの他端部を固定するばねフックが設けられていることを特徴とする請求項１記載のメディア再生装置。
【請求項４】
一対のベース溝、回転軸凸部、ガイド凸部およびカム用凸部が設けられたベースと、
前記一対のベース溝に係合する一対のシャフトが設けられ、当該一対のシャフトが前記一対のベース溝内を摺動することで、前記ベース上の２つの位置間をスライドするシャッタと、
各々の一端部が前記一対のシャフトに係合し、各々の他端部同士が近づいたり遠ざかったりする遠近方向に移動可能に係合した一対のアームと、
前記一対のアームを互いに引っ張り寄せるばねとを備え、
前記一対のアームのうちの一方のアームは、前記ベースの回転軸凸部に回転可能に係合する回転軸穴が設けられ、前記シャッタのスライドに応じて前記回転軸凸部を中心にして回転するアームであり、
前記一対のアームのうちの他方のアームは、前記ベースのガイド凸部に回転可能かつ摺動可能に係合する長穴状の係合穴、および前記ベースのカム用凸部に摺動可能に係合する曲線状のカム溝が設けられ、前記シャッタのスライドに応じて、前記ガイド凸部を中心にして回転しながら前記遠近方向へ移動すると共に、前記カム用凸部が前記カム溝内を摺動することで前記シャッタが前記２つの位置にあるときに前記一方のアームに近づき前記２つの位置間をスライドしているときに前記一方のアームから遠ざかるアームであることを特徴とするシャッタ機構。
【発明の詳細な説明】
【技術分野】
【０００１】
この発明は、ＣＤ（Ｃｏｍｐａｃｔ  Ｄｉｓｃ）などのメディアを挿入する挿入口からの異物の侵入を防止するためのシャッタ機構を備えたメディア再生装置に関するものである。
【背景技術】
【０００２】
シャッタ機構の一例として、特許文献１に記載された開閉装置がある。この開閉装置においては、一対のリンク部材が、薄手の板金で構成され、一端部に取り付けボルトのねじ部を通す通し孔が設けられている。各リンク部材は、一端部を中心として回転自在にスライドシャーシに取り付けられている。また、一対のリンク部材は、他端部が互いに回転自在に連結していると共に、双方の長手方向に沿って移動自在に他端部同士が互いに連結している。一対のリンク部材の他端部間には、ばねが掛け渡されている。このばねは、他端部同士を互いに近づける方向に一対のリンク部材を付勢している。【０００３】
この開閉装置において、取り付けボルトのねじ部が、スライドシャーシのスライド孔内を移動し、かつ、リンク部材が一端部を中心としてスライドシャーシに対し回転すると共にリンク部材の他端部同士が回転およびスライド移動することで、スライドシャーシを、挿入口が形成されている前面パネルに対しスライドさせる。
【先行技術文献】
【特許文献】
【０００４】
【特許文献１】国際公開第２００６／１０６６４８号
【発明の概要】
【発明が解決しようとする課題】
【０００５】
上記特許文献１に記載された開閉装置においては、スライドシャーシのスライド距離が短く、一対のリンク部材の回転量が少ない。そのため、スライドシャーシが挿入口を塞ぐ閉位置または開放する開位置にあるときと、スライドシャーシがスライドしているときとで、ばねが伸び縮みする変位量に大きな差が生じない。従って、ユーザがスライドシャーシをスライドさせる際に、開閉位置とスライド途中とで操作感に差が生じにくいという課題があった。また、スライドシャーシを閉位置および開位置で保持するばねの保持力が弱いという課題もあった。【０００６】
スライドシャーシを保持する力を強くするために、ばねの力を強くすることが考えられるが、ばねの力を強くすると、取り付けボルトと通し孔との摩擦力が大きくなり摺動抵抗も大きくなるため、スムーズな動作ができなくなる。また、取り付けボルトと通し孔は、金属同士の摺動であるため、異音の原因となる。また、摩擦力が大きくなることにより、耐久性が悪化する。さらに、ばねの力を強くしたとしても、シャッタの開閉動作時の操作感に差が生じにくい。そのため、強いばねを用いることなく、スライドシャーシの閉位置および開位置において強い保持力を生じさせることが望ましい。【０００７】
この発明は、上記のような課題を解決するためになされたもので、アームの回転量が少なくてもばねを大きく変位させてシャッタの開閉動作時の操作感に差を生じさせること、また、強いばねを用いなくてもシャッタの閉位置および開位置において強い保持力を生じさせることを目的とする。【０００８】
なお、特許文献１のリンク部材およびスライドシャーシは、この発明のアームおよびシャッタに相当する。
【課題を解決するための手段】
【０００９】
この発明に係るメディア再生装置は、メディアを挿入する挿入口が設けられたパネルと、一対のベース溝、回転軸凸部、ガイド凸部およびカム用凸部が設けられ、パネルの背面に固定されたベースと、一対のベース溝に係合する一対のシャフトが設けられ、当該一対のシャフトが一対のベース溝内を摺動することで、パネルの正面において挿入口を塞ぐ閉位置および挿入口を開放する開位置にスライドするシャッタと、各々の一端部が一対のシャフトに係合し、各々の他端部同士が近づいたり遠ざかったりする遠近方向に移動可能に係合した一対のアームと、一対のアームを互いに引っ張り寄せるばねとを備え、一対のアームのうちの一方のアームは、ベースの回転軸凸部に回転可能に係合する回転軸穴が設けられ、シャッタのスライドに応じて回転軸凸部を中心にして回転するアームであり、一対のアームのうちの他方のアームは、ベースのガイド凸部に回転可能かつ摺動可能に係合する長穴状の係合穴、およびベースのカム用凸部に摺動可能に係合する曲線状のカム溝が設けられ、シャッタのスライドに応じて、ガイド凸部を中心にして回転しながら遠近方向へ移動すると共に、カム用凸部がカム溝内を摺動することでシャッタが閉位置および開位置の２つの位置にあるときに一方のアームに近づき当該２つの位置間をスライドしているときに一方のアームから遠ざかるアームである。
【発明の効果】
【００１０】
この発明によれば、一方のアームは、ベースの回転軸凸部に回転可能に係合する回転軸穴が設けられ、シャッタのスライドに応じて回転軸凸部を中心にして回転し、他方のアームは、ベースのガイド凸部に回転可能かつ摺動可能に係合する長穴状の係合穴、およびベースのカム用凸部に摺動可能に係合する曲線状のカム溝が設けられ、シャッタのスライドに応じて、ガイド凸部を中心にして回転しながら遠近方向へ移動すると共に、カム用凸部がカム溝内を摺動することでシャッタが閉位置および開位置の２つの位置にあるときに一方のアームに近づき当該２つの位置間をスライドしているときに一方のアームから遠ざかる。これにより、シャッタが２つの位置間をスライドしているときに一方のアームから他方のアームが遠ざかり、ばねが大きく変位するため、シャッタの開閉動作時の操作感に差を生じさせることができる。また、カム溝は、シャッタが開位置にあるときは一対のアームを開方向へ付勢し、シャッタが閉位置にあるときは一対のアームを閉方向へ付勢するカムとして機能するため、ばねの力を強くしなくても保持力を生じさせることができる。
【図面の簡単な説明】
【００１１】
【図１】この発明の実施の形態１に係るシャッタ機構が設けられたメディア再生装置のシャッタが閉じたときの正面図である。
【図２】シャッタ機構のシャッタが開いたときの正面図である。
【図３】シャッタ機構のシャッタが閉じたときの背面図である。
【図４】シャッタ機構を背面側から見た外観斜視図であり、シャッタが閉じたときを示す。
【図５】シャッタ機構を背面側から見た分解斜視図である。
【図６】シャッタの背面側に設けられたシャフトを拡大した外観斜視図である。
【図７】図７Ａはシャッタ機構の一方のアームの背面図、図７Ｂは平面図である。
【図８】図８Ａはシャッタ機構のもう一方のアームの背面図、図８Ｂは平面図である。
【図９】図９Ａはシャッタ機構のシャッタが閉じたときの背面図、図９Ｂはカム溝とカム用凸部の拡大図である。
【図１０】図１０Ａはシャッタ機構のシャッタがスライドしている途中の背面図、図１０Ｂはカム溝とカム用凸部の拡大図である。
【図１１】図１１Ａはシャッタ機構のシャッタが開いたときの背面図、図１１Ｂはカム溝とカム用凸部の拡大図である。
【発明を実施するための形態】
【００１２】
以下、この発明をより詳細に説明するために、この発明を実施するための形態について、添付の図面に従って説明する。
実施の形態１．
図１は、この発明の実施の形態１に係るシャッタ機構１が設けられたメディア再生装置１０のシャッタ２が閉じたときの正面図である。図２は、シャッタ機構１のシャッタ２が開いたときの正面図である。図３は、シャッタ機構１のシャッタ２が閉じたときの背面図である。
メディア再生装置１０の前面のパネル３には、ＣＤなどのメディアを出し入れする挿入口３１と、シャッタ２がスライドする方向に伸びた２本のガイド溝３２が設けられている。図示例の挿入口３１は、ＣＤを出し入れする開口部であるが、これに限定されるものではなく、例えばＵＳＢ（Ｕｎｉｖｅｒｓａｌ  Ｓｅｒｉａｌ  Ｂｕｓ）メモリを抜き差しするコネクタなどであってもよい。開口部からメディア再生装置１０内部への異物の侵入を防止するため、またはコネクタを保護するために、パネル３の外側にシャッタ２が設けられている。
【００１３】
以下では、シャッタ２が挿入口３１を塞ぐ位置、つまり図１に示すシャッタ２の位置を「閉位置」と呼び、シャッタ２が挿入口３１を開放する位置、つまり図２に示すシャッタ２の位置を「開位置」と呼ぶ。
また、シャッタ機構１をメディア再生装置１０に適用した例を説明するが、シャッタ機構１をどのような装置に適用してもよい。
【００１４】
図４は、シャッタ機構１を背面側から見た外観斜視図であり、シャッタ２が閉じたときを示す。図５は、シャッタ機構１を背面側から見た分解斜視図である。パネル３の背面側には、メディアに記憶されているデータを読み出して再生する再生部があるが、図示を省略している。
シャッタ機構１は、シャッタ２と、ベース４と、アーム５，６と、ばね７とを備えている。アーム５，６とばね７は、シャッタ２を開位置と閉位置の２つの位置にスライドさせ保持するリンク機構を構成する。
【００１５】
シャッタ２の背面側には、パネル３の２本のガイド溝３２およびベース４の２本のベース溝４１に挿入される２本のシャフト８が固定されている。ここで、図６に、シャッタ２の背面側に設けられたシャフト８を拡大した外観斜視図を示す。図６に示すように、シャフト８には、根元側から先端側へ向かって、円筒部８１、中径部８２、小径部８３および先端部８４が形成されている。円筒部８１は、ガイド溝３２の幅よりも若干小径である。中径部８２は、円筒部８１より小径である。小径部８３は、中径部８２よりも小径である。先端部８４は、円筒部８１と同径である。２本のシャフト８の各円筒部８１がシャッタ２の２本のガイド溝３２に係合してガイド溝３２内を摺動することにより、シャッタ２がパネル３に対してガイド溝３２と同じスライド方向にスライドすることができる。また、円筒部８１がガイド溝３２におけるスライド方向の両端部に当接することにより、シャッタ２が開位置および閉位置で位置決めされる。
【００１６】
パネル３の背面側には、２本のねじ９により、薄板板金のベース４が取り付けられている。このベース４には、２本のシャフト８に係合する２本のベース溝４１が設けられている。ベース溝４１は、スライド部４５および大径部４６から成る。スライド部４５は、ガイド溝３２に向かい合う位置に形成され、シャッタ２のスライド方向に伸びた形状であって、その幅は、シャフト８の中径部８２の径よりも広く、円筒部８１の径よりも狭い。大径部４６は、スライド部４５の端部からシャッタ２のスライド方向と直交する方向に伸び、シャフト８の先端部８４の径よりも大径である。また、ベース４には、アーム５の回転中心軸となる回転軸凸部４２と、アーム６の回転および後述する遠近方向への移動のガイドとなるガイド凸部４３と、アーム６のカム溝６１に係合するカム用凸部４４とが、絞り加工で施されている。さらに、ベース４には、回転軸凸部４２を中心とする円弧溝４７が設けられている。
【００１７】
アーム５，６は、ベース４の背面、つまり再生部に対向する面に取り付けられている。
図７Ａはアーム５の背面図、図７Ｂはアーム５の平面図である。このアーム５は、ポリカーボネート（ＰＣ）またはポリオキシメチレン（ＰＯＭ）などの樹脂により成形されており、回転軸穴５１、シャフト係合穴５２、ばねフック５３、アーム係合穴５４およびフック部５５が形成されている。回転軸穴５１は、ベース４の回転軸凸部４２と係合する。シャフト係合穴５２はアーム５の一端部に形成され、角穴部５２ａおよび丸穴部５２ｂから成る鍵穴形状であり、シャフト８に係合する。角穴部５２ａの幅は、シャフト８の小径部８３の径よりも広く、中径部８２の径よりも狭い。丸穴部５２ｂは、シャフト８の先端部８４の径よりも大径である。ばねフック５３は、アーム５の背面側において回転軸穴５１とシャフト係合穴５２の間に設けられ、ばね７の一端部を引っ掛けて固定する。アーム係合穴５４は、アーム５におけるシャフト係合穴５２とは反対の他端部に形成された、アーム５とアーム６が近づいたり遠ざかったりする遠近方向に長い長穴であり、アーム６の凸部６５と係合する。フック部５５は弾性を有し、アーム５の正面側、つまりベース４側に形成されて円弧溝４７に係合する。図示例では、フック部５５をスナップフィット形状にすることで弾性を持たせている。
【００１８】
図８Ａはアーム６の背面図、図８Ｂはアーム６の平面図である。このアーム６も、アーム５と同様に樹脂成形されており、カム溝６１、係合穴６２、シャフト係合穴６３、ばねフック６４および凸部６５が形成されている。カム溝６１は、シャッタ２のスライド方向に略直交する方向へ突出した突出部６１ａが形成された曲線状であり、ベース４のカム用凸部４４に係合する。係合穴６２は、アーム５とアーム６が近づいたり遠ざかったりする遠近方向に長い長穴であり、ベース４のガイド凸部４３に係合してアーム６の回転および遠近方向への移動のガイドとなる。シャフト係合穴６３はアーム６の一端部に形成され、角穴部６３ａおよび丸穴部６３ｂから成る鍵穴形状であり、シャフト８に係合する。角穴部６３ａの幅は、シャフト８の小径部８３の径よりも広く、中径部８２よりも狭い。丸穴部６３ｂは、シャフト８の先端部８４の径よりも大径である。ばねフック６４は、アーム６の背面側において係合穴６２とシャフト係合穴６３の間に設けられ、ばね７の他端部を引っ掛けて固定する。凸部６５は、アーム６におけるシャフト係合穴６３とは反対の他端部に形成され、アーム５のアーム係合穴５４に係合する。
【００１９】
ばね７は、引っ張りばねであり、一端部がアーム５のばねフック５３に取り付けられ、他端部がアーム６のばねフック６４に取り付けられている。このばね７により、アーム５とアーム６には、互いを引っ張り寄せる方向の力が働いている。
【００２０】
次に、シャッタ機構１の組立方法を説明する。
先ず、シャッタ２に固定された各々のシャフト８が、パネル３のガイド溝３２に各々挿入され、シャッタ２が開位置に位置決めされる。続いて、ガイド溝３２を貫通した各々のシャフト８が、ベース４の各々のベース溝４１の大径部４６にはめ込まれ、ベース４が図５のＡ方向にスライドされることによってシャフト８が大径部４６からベース溝４１のスライド部４５に移動された後、ねじ９によりパネル３とベース４とが固定される。これにより、パネル３の正面側にシャッタ２が取り付けられ、パネル３の背面側にベース４が取り付けられた状態になる。なお、この状態では、パネル３のガイド溝３２にはシャフト８の円筒部８１が係合している。また、ベース４のベース溝４１は、シャフト８の中径部８２に係合しており、ベース４は円筒部８１と先端部８４との間に位置する。円筒部８１および先端部８４の径と、ベース溝４１の幅との大小関係により、この状態でシャフト８がベース４に保持される。
【００２１】
続いて、アーム６がベース４に取り付けられる。その際、先ず、アーム６のシャフト係合穴６３の丸穴部６３ｂにシャフト８の先端部８４が挿入され、アーム６がＡ方向にスライドされることによってシャフト８が角穴部６３ａに移動される。続いて、係合穴６２がガイド凸部４３にはめ込まれ、カム溝６１がカム用凸部４４にはめ込まれて、アーム６がベース４に取り付けられた状態になる。この状態では、アーム６の角穴部６３ａにシャフト８の小径部８３が係合している。
【００２２】
続いて、アーム５がベース４に取り付けられる。その際、先ず、アーム５のシャフト係合穴５２の丸穴部５２ｂにシャフト８の先端部８４が挿入され、アーム５がＡ方向とは反対の方向にスライドされることによってシャフト８が角穴部５２ａに移動される。続いて、回転軸穴５１が回転軸凸部４２にはめ込まれ、アーム係合穴５４が凸部６５にはめ込まれ、スナップフィット形状をしたフック部５５が円弧溝４７にはめ込まれて、アーム５がベース４に取り付けられた状態になる。この状態では、アーム５の角穴部５２ａにシャフト８の小径部８３が係合している。
その後、ばね７がアーム５のばねフック５３と、アーム６のばねフック６４に取り付けられて、シャッタ機構１の組立が完成する。
【００２３】
従来は、アーム５，６をベース４に取り付けるために、ネジ、Ｅリングまたはカットワッシャなどの締結部材が必要であり、組立性が悪かった。
これに対し、本実施の形態１では、シャフト係合穴５２，６３にシャフト８の小径部８３がはまり込み、小径部８３よりも大径の先端部８４がシャフト係合穴５２，６３周辺に当接して浮きを抑える。また、アーム５がアーム６に被さるように重なって取り付けられているため、アーム５がアーム６の浮きを抑える。さらに、アーム５は、スナップフィット形状のフック部５５が円弧溝４７に係合することによってベース４に取り付けられている。従って、締結部材を必要とせず、組立性が優れたシャッタ機構１を提供することができる。
【００２４】
次に、シャッタ機構１の動作を説明する。
図９Ａはシャッタ機構１のシャッタ２が閉じたときの背面図、図９Ｂはカム溝６１とカム用凸部４４の拡大図である。図１０Ａはシャッタ機構１のシャッタ２が開位置と閉位置の間をスライドしている途中の背面図、図１０Ｂはカム溝６１とカム用凸部４４の拡大図である。図１１Ａはシャッタ機構１のシャッタ２が開いたときの背面図、図１１Ｂはカム溝６１とカム用凸部４４の拡大図である。なお、図９〜図１１ではパネル３の図示を省略している。
【００２５】
図１、図３および図９Ａのようにシャッタ２が閉位置にあって挿入口３１が塞がった状態では、ばね７の弾性力による荷重が、アーム５とアーム６とを互いに引き寄せるように働く。この荷重により、アーム５は、回転軸凸部４２に係合した回転軸穴５１を支点として図３の＋Ｂ方向に付勢されており、アーム６は、ガイド凸部４３に係合した係合穴６２を支点として図３の＋Ｃ方向に付勢されている。この付勢力が各々のシャフト８に作用し、円筒部８１がガイド溝３２の端部に押し付けられ、シャッタ２が閉じる方向に押されることになる。
【００２６】
また、ばねフック５３，６４をアーム５，６のできるだけ外側、かつ、アーム５，６のシャッタ２に近い側の正面ではなくシャッタ２から遠い側の背面に設けている。このような構造により、ばね７の引っ張る力によりアーム５，６が再生部側に持ち上がりやすくなり、シャッタ２がパネル３に押し付けられる。よって、シャッタ２のがたつきが抑制され、振動等によるシャッタ２とパネル３とのたたき音による異音の発生が抑制される。
なお、アーム５のできるだけ外側とは、回転軸穴５１よりも、シャフト係合穴５２に係合するシャフト８に近い位置とする。また、アーム６のできるだけ外側とは、係合穴６２よりも、シャフト係合穴６３に係合するシャフト８に近い位置とする。
【００２７】
シャッタ２が閉位置にあるとき、メディアを挿入口３１へ挿入するために、ユーザが、シャッタ２に作用している付勢力に逆らってシャッタ２に力を加えて開ける方向へスライドさせる。ユーザがシャッタ２をスライドさせようとする力が、各々のシャフト８を介してアーム５，６へ作用し、図９Ａの状態のアーム５は、回転軸穴５１を支点として−Ｂ方向に回転し、アーム６は係合穴６２を支点として−Ｃ方向に回転する。
【００２８】
シャッタ２が閉位置にあるとき、ばね７の荷重により、カム溝６１の突出部６１ａよりも端に、ベース４のカム用凸部４４が係合して、図９Ｂの状態になっている。ユーザがシャッタ２をスライドさせ、アーム６が−Ｃ方向に回転すると、カム用凸部４４が突出部６１ａの斜面を登りながらカム溝６１内を相対的に移動し、図１０Ｂの状態になる。このとき、図１０Ａのように、長穴形状の係合穴６２内をガイド凸部４３が相対的に移動し、アーム６がアーム５から相対的に遠ざかる方向に、つまりばね７が伸びる方向に移動する。そして、カム用凸部４４が突出部６１ａを乗り越える直前には、ばね７が最大に伸ばされた状態となり、ばね反力が最大となる。そのため、アーム６の回転開始から途中までは、急激に回転に抗する力が増すことになり、シャッタ２をスライドさせるのに要する力も増える。また、図９Ｂの状態から図１０Ｂの状態へ遷移する際、カム溝６１が、アーム６、およびこのアーム６と他端部同士が係合しているアーム５を閉方向へ付勢するカムとして機能し、シャッタ２を閉位置に保持する強い力が生じる。
【００２９】
その後、カム用凸部４４が突出部６１ａを乗り越えたときには、図１０Ｂから図１１Ｂの状態に移ろうと、ばね７の反力により急速にカム用凸部４４が突出部６１ａを相対的に滑り下りながらカム溝６１内を移動する。そのため、アーム６は、係合穴６２を支点として、−Ｃ方向へ急速に回転する。アーム５とアーム６とは、アーム係合穴５４と凸部６５との係合によりリンク結合しているので、略軸対称の動きとなる。よって、アーム６の−Ｃ方向への急速な回転に合わせて、アーム５も、回転軸穴５１を支点として−Ｂ方向へ急速に回転する。アーム５およびアーム６に係合されたシャフト８は、ガイド溝３２に沿ってＤ方向に移動し、同様にシャッタ２は開き方向に移動する。その後、シャフト８の円筒部８１がガイド溝３２の端部に当接すると、図２および図１１Ａのようにシャッタ２が開位置にあって挿入口３１が開放された状態で静止する。
【００３０】
シャッタ２が開位置にあるとき、ばね７の荷重が、アーム５とアーム６とを互いに引き寄せるように働く。この荷重により、アーム５は、回転軸凸部４２に係合した回転軸穴５１を支点として図３の−Ｂ方向に付勢され、アーム６は、ガイド凸部４３に係合した係合穴６２を支点として図３の−Ｃ方向に付勢される。この付勢力が各々のシャフト８に作用し、円筒部８１がガイド溝３２の端部に押し付けられ、シャッタ２が開く方向に押されることになる。また、カム溝６１が、アーム６、およびこのアーム６と他端部同士が係合しているアーム５を開方向へ付勢するカムとして機能し、シャッタ２を開位置に保持する強い力が生じる。
【００３１】
シャッタ２が開位置にあるとき、ユーザがシャッタ２に作用している付勢力に逆らってシャッタ２を閉じる方向へスライドさせると、図１１Ａの状態のアーム５は、回転軸穴５１を支点として＋Ｂ方向に回転し、アーム６は係合穴６２を支点として＋Ｃに回転する。シャッタ２が開位置から閉位置へ移動するときのシャッタ機構１の動作は、シャッタ２が閉位置から開位置へ移動するときのシャッタ機構１の動作の向きが反対になっただけであるため、説明を省略する。
【００３２】
以上より、実施の形態１に係るメディア再生装置１０は、メディアを挿入する挿入口３１が設けられたパネル３と、一対のベース溝４１、回転軸凸部４２、ガイド凸部４３およびカム用凸部４４が設けられ、パネル３の背面に固定されたベース４と、一対のベース溝４１に係合する一対のシャフト８が設けられ、当該一対のシャフト８が一対のベース溝４１内を摺動することで、パネル３の正面において挿入口３１を塞ぐ閉位置および挿入口３１を開放する開位置にスライドするシャッタ２と、各々の一端部が丸穴部５２ｂ，６３ｂにより一対のシャフト８に係合し、各々の他端部同士がアーム係合穴５４と凸部６５により近づいたり遠ざかったりする遠近方向に移動可能に係合したアーム５，６と、アーム５，６を互いに引っ張り寄せるばね７とを備えている。一方のアーム５は、ベース４の回転軸凸部４２に回転可能に係合する回転軸穴５１が設けられ、シャッタ２のスライドに応じて回転軸凸部４２を中心にして回転する構成である。他方のアーム６は、ベース４のガイド凸部４３に回転可能かつ摺動可能に係合する長穴状の係合穴６２、およびベース４のカム用凸部４４に摺動可能に係合する曲線状のカム溝６１が設けられ、シャッタ２のスライドに応じて、ガイド凸部４３を中心にして回転しながら遠近方向へ移動すると共に、カム用凸部４４がカム溝６１内を摺動することでシャッタ２が閉位置および開位置の２つの位置にあるときに一方のアーム５に近づき当該２つの位置間をスライドしているときに一方のアーム５から遠ざかる構成である。
これにより、シャッタ２が２つの位置間をスライドしているときに、アーム５からアーム６が遠ざかり、ばね７が大きく変位するため、シャッタ２のスライド距離が短くアーム５，６の回転量が少なくても、シャッタ２が開位置および閉位置にあるときとスライドしているときとで操作感の差を生じさせることができる。
また、カム溝６１は、シャッタ２が開位置にあるときはアーム５，６を開方向へ付勢し、シャッタ２が閉位置にあるときはアーム５，６を閉方向へ付勢するカムとして働くため、ばね７の力を強くしなくても保持力を生じさせることができる。
さらに、強いばね７を必要としないため、組立が容易となる。また、ばね７の力が作用する摺動部分の摩擦を減らすことができるため、寿命を延ばすことができる。また、ばね７の力によってアーム５，６を互いに引っ張り寄せるリンク機構を用いたので、シャッタ２のスライド方向に対する傾きが生じにくい。
【００３３】
また、実施の形態１によれば、カム溝６１が設けられたアーム６は樹脂で構成され、カム用凸部４４が設けられたベース４は金属で構成されている。カム溝６１とカム用凸部４４は、異なる材質同士の摺動であるため、摩擦が減って操作感が向上すると共に、摺動時の異音を低減することもできる。また、カム溝６１を樹脂で構成することで、カム用凸部４４の偏磨耗を防ぐことができるため、寿命を延ばすことができる。
【００３４】
また、実施の形態１によれば、一方のアーム５は、シャッタ２から遠い背面、かつ、回転軸穴５１よりシャフト８に近い位置に、ばねフック５３が設けられている。他方のアーム６は、シャッタ２から遠い背面、かつ、係合穴６２よりシャフト８に近い位置に、ばねフック６４が設けられている。これにより、ばね７の引っ張る力が、シャッタ２をパネル３へ押し付ける力となり、シャッタ２のがたつきが抑制され、異音の発生が抑制される。
【００３５】
なお、本発明はその発明の範囲内において、実施の形態の任意の構成要素の変形、または実施の形態の任意の構成要素の省略が可能である。
例えば、シャッタ機構１は、メディア再生装置１０に適用するものに限らず、シャッタによる開閉を必要とする各種装置に適用可能である。その場合、シャッタ機構１は少なくとも、一対のベース溝４１、回転軸凸部４２、ガイド凸部４３およびカム用凸部４４が設けられたベース４と、一対のベース溝４１に係合する一対のシャフト８が設けられ、当該一対のシャフト８が一対のベース溝４１内を係合することで、開位置および閉位置に相当するベース４上の２つの位置間をスライドするシャッタ２と、各々の一端部が一対のシャフト８に係合し、各々の他端部同士が近づいたり遠ざかったりする遠近方向に移動可能に係合したアーム５，６と、アーム５，６を互いに引っ張り寄せるばね７とを備えていればよい。そして、一方のアーム５は、ベース４の回転軸凸部４２に回転可能に係合する回転軸穴５１が設けられ、シャッタ２のスライドに応じて回転軸凸部４２を中心にして回転する構成とする。他方のアーム６は、ベース４のガイド凸部４３に回転可能かつ摺動可能に係合する長穴状の係合穴６２、およびベース４のカム用凸部４４に摺動可能に係合する曲線状のカム溝６１が設けられ、シャッタ２のスライドに応じて、ガイド凸部４３を中心にして回転しながら遠近方向へ移動すると共に、カム用凸部４４がカム溝６１内を摺動することでシャッタ２が２つの位置にあるときにアーム５に近づき２つの位置間をスライドしているときにアーム５から遠ざかる構成とする。この構成の場合にも、上記同様、シャッタ２の操作感の差を生じさせることができ、かつ、ばね７の力を強くしなくても保持力を生じさせることができる。
【産業上の利用可能性】
【００３６】
この発明に係るシャッタ機構は、開口部を開閉するシャッタの操作感を生じさせると共に、シャッタの開位置および閉位置において強い保持力を生じさせるようにしたので、車両などの振動がある環境において使用される装置に用いるのに適している。
【符号の説明】
【００３７】
１  シャッタ機構、２  シャッタ、３  パネル、４  ベース、５  アーム、６  アーム、７  ばね、８  シャフト、９  ねじ、１０  メディア再生装置、３１  挿入口、３２  ガイド溝、４１  ベース溝、４２  回転軸凸部、４３  ガイド凸部、４４  カム用凸部、４５  スライド部、４６  大径部、４７  円弧溝、５１  回転軸穴、５２  シャフト係合穴、５２ａ  角穴部、５２ｂ  丸穴部、５３  ばねフック、５４  アーム係合穴、５５  フック部、６１  カム溝、６１ａ  突出部、６２  係合穴、６３  シャフト係合穴、６３ａ  角穴部、６３ｂ  丸穴部、６４  ばねフック、６５  凸部、８１  円筒部、８２  中径部、８３  小径部、８４  先端部。
【図１】
2017064764.tif 000003
【図２】
2017064764.tif 000004
【図３】
2017064764.tif 000005
【図４】
2017064764.tif 000006
【図５】
2017064764.tif 000007
【図６】
2017064764.tif 000008
【図７】
2017064764.tif 000009
【図８】
2017064764.tif 000010
【図９】
2017064764.tif 000011
【図１０】
2017064764.tif 000012
【図１１】
2017064764.tif 000013
【国際調査報告】
2017064764.tif 000014
2017064764.tif 000015
2017064764.tif 000016